(57)【要約】【課題】  メールの送信に際して、移動通信端末装置の利用者の利便性を向上させる。【解決手段】  送信すべき複数メールの連続的な送信において所定の送信失敗が発生した場合に、当該所定の送信失敗が発生したメール及び当該所定の送信失敗の発生時において送信に着手していないメールの連続的な送信が自動的に試みられる（ステップ１１６）。この結果、所定の送信失敗が発生して送信すべきメールの全てを送信できなかった場合に、利用者を煩わせることなく、当初に送信を行おうとしていたメールの内における送信が完了したメールを除くメールの送信の試みを自動的に行うことができる。【選択図】  図３
2005135255.tif 000002
【特許請求の範囲】
【請求項１】
移動通信端末装置がメールを送信するメール送信方法において、
送信すべき少なくとも１つのメールの連続的な送信において所定の送信失敗が発生した場合、前記所定の送信失敗が発生したメール及び前記送信失敗の発生時において送信に着手していないメールの連続的な送信を自動的に試みる自動送信リトライ工程を備える、ことを特徴とするメール送信方法。
【請求項２】
前記所定の送信失敗には、前記移動通信端末装置に基地局を介して通知された通信規制に起因する送信失敗が含まれない、ことを特徴とする請求項１に記載のメール送信方法。
【請求項３】
前記自動送信リトライ工程の実行に先立って、前記送信失敗の表示を行わない、ことを特徴とする請求項１又は２に記載のメール送信方法。
【請求項４】
前記自動送信リトライ工程は、最大で所定回数まで繰り返して実行される、ことを特徴とする請求項１〜３のいずれか一項に記載のメール送信方法。
【請求項５】
前記所定回数だけ前記自動送信リトライ工程を繰り返しても、前記少なくとも１つのメールの全てを送信できなかった場合に、メールの送信済状況を表示する送信済状況表示工程を更に備える、ことを特徴とする請求項４に記載のメール送信方法。
【請求項６】
メール送信機能を有する移動通信端末装置において、
送信すべき少なくとも１つのメールの連続的な送信中に送信失敗が検出された場合、送信すべき少なくとも１つのメール中の前記送信失敗が発生したメール及び前記送信失敗の発生時において送信に着手していないメールの連続的な送信を自動的に試みる自動送信リトライ手段を備える、ことを特徴とする移動通信端末装置。
【発明の詳細な説明】
【技術分野】
【０００１】
本発明は、メール送信方法及び移動通信端末装置に係り、より詳しくは、移動通信端末装置がメールを送信するメール送信方法、及び、当該メール送信方法を使用する移動通信端末装置に関するものである。
【背景技術】
【０００２】
従来から、携帯電話等の移動体端末装置が広く普及している。こうした移動体端末装置は、音声通話機能に加えて、メール処理機能（メールの作成、メールの送受信、受信メール内容の表示等）を有しており、移動体端末装置を利用したメールの送受信が盛んに行われている。
【０００３】
このような移動体端末装置によるメールの送受信においては、利用者の利便性を向上させるため、様々な技術が提案されている。こうした技術としては、例えば、電界レベルが圏外から圏内へ変化したことによるイベントにより、待機中のメールを自動的に送信する技術（特許文献１参照）や、メールのデータ量やメールの送受信相手及び電波状況を組み合わせて判断し、メールの自動送受信の実行を制御する技術（特許文献２参照）がある。
【０００４】
また、個々のメールの送信に加えて、自動的な複数のメールの連続的な送信（以下、「メールの自動連続送信」ともいう）も行われている。こうした、複数のメールの連続的な送信に際しては、移動通信端末装置の利用者が移動通信端末装置の操作部を操作して、連続自動送信すべき複数のメールを選択した後、送信指令を行うと、選択された複数のメールが順次送信されるようになっている。
【０００５】
【特許文献１】特開２０００−３３３２５６号公報
【特許文献２】特開２００２−４４７３７号公報
【発明の開示】
【発明が解決しようとする課題】
【０００６】
上述した従来の移動通信端末装置における個別のメールの送信や、複数メールの自動連続送信においては、送信中に通信エラー等の発生により送信失敗が一度発生すると、その時点でメールの送信動作を終了していた。そして、発生した送信失敗の要因情報や、自動連続送信の場合には、当該複数のメールのうちどのメールの送信が完了したかを示す送信済状況情報を表示して、メールの自動連続送信動作を終了していた。
【０００７】
このため、メールの送信中に送信失敗が発生すると、当初に送信しようとしていた複数のメールの全てについて送信を完了させるためには、利用者が、移動通信端末装置の操作部を操作して、送信すべきメールの選択及び送信指令を行うことが必要であった。ここで、自動連続送信中の送信失敗発生時の操作としては、例えば、（ｉ）送信失敗が発生したメール及び送信失敗の発生時点において送信に着手していなかったメールを再度選択してメールの自動連続送信を指令する操作、（ii）送信失敗が発生したメール及び送信失敗の発生時点において送信に着手していなかったメールのそれぞれごとに選択して送信を指令する操作等があった。
【０００８】
本発明は、上記の事情を鑑みてなされたものであり、メールの送信に際して、移動通信端末装置の利用者の利便性を向上させることができるメール送信方法を提供することを目的とする。
【０００９】
また、本発明は、メールの送信に際して、利用者の利便性を向上させることができる移動通信端末装置を提供することを目的とする。
【課題を解決するための手段】
【００１０】
本発明のメール送信は、移動通信端末装置がメールを送信するメール送信方法において、送信すべき少なくとも１つのメールの連続的な送信において所定の送信失敗が発生した場合、前記所定の送信失敗が発生したメール及び前記送信失敗の発生時において送信に着手していないメールの連続的な送信を自動的に試みる自動送信リトライ工程を備える、ことを特徴とするメール送信方法である。
【００１１】
このメール送信方法では、送信すべき少なくとも１つのメールの連続的な送信において所定の送信失敗が発生した場合に、自動送信リトライ工程において、当該所定の送信失敗が発生したメール及び当該所定の送信失敗の発生時において送信に着手していないメールの連続的な送信が自動的に試みられる。この結果、所定の送信失敗が発生して送信すべきメールの全てを送信できなかった場合に、利用者を煩わせることなく、当初に送信を行おうとしていたメールの内における送信が完了したメールを除くメールの送信の試みを自動的に行うことができる。
【００１２】
したがって、本発明のメール送信方法によれば、メールの送信に際して、移動通信端末装置の利用者の利便性を向上させることができる。
【００１３】
本発明のメール送信方法では、前記所定の送信失敗には、前記移動通信端末装置に基地局を介して通知された通信規制に起因する送信失敗が含まれないこととすることができる。この場合には、例えば災害の発生により災害地域の移動通信端末装置に対して移動局を介して行われるメール送信の規制等を含む通信規制というような公共の利益のための通信規制が行われた場合には、こうした通信規制に起因してメールの送信失敗が発生したとしても、自動送信リトライ工程は実行されない。このため、公共の利益を損なわない範囲で、メールの送信に際して、移動通信端末装置の利用者の利便性を向上させることができる。
【００１４】
また、本発明のメール送信方法では、前記自動送信リトライ工程の実行に先立って、前記送信失敗の表示を行わないこととすることができる。この場合には、自動送信リトライ工程が実行されるときには、利用者に送信失敗の発生を通知するための表示を行わないので、自動送信リトライ工程の実行が引き続きなされることから利用者にとって必須とはいえない送信失敗の発生情報の提供により利用者を煩わせることを防止することができる。
【００１５】
また、本発明のメール送信方法では、前記自動送信リトライ工程が、最大で所定回数まで繰り返して実行されることとすることができる。この場合には、回復が当分の間は望めない事由に起因する送信のリトライを無限に繰り返すことを防止することができる。また、通信の輻輳に起因する送信失敗の場合に、輻輳状況を助長し続けることを防止することができる。また、公的な規格によりリトライ回数が制限されている場合に、当該規格に自動送信リトライ動作を適合させることができる。
【００１６】
ここで、前記所定回数だけ前記自動送信リトライ工程を繰り返しても、前記少なくとも１つのメールの全てを送信できなかった場合に、メールの送信済状況を表示する送信済状況表示工程を更に備えることとすることができる。この場合には、送信済状況表示工程において、メールの送信のリトライを終了した段階における送信済メールに関する情報であるメールの送信済状況を表示することにより、自動送信リトライ工程の繰り返し実行の終了時点において利用者にとって必須の情報であるメールの送信済状況を、利用者に通知することができる。
【００１７】
本発明の移動通信端末装置は、メール送信機能を有する移動通信端末装置において、送信すべき少なくとも１つのメールの連続的な送信中に送信失敗が検出された場合、送信すべき少なくとも１つのメール中の前記送信失敗が発生したメール及び前記送信失敗の発生時において送信に着手していないメールの連続的な送信を自動的に試みる自動送信リトライ手段を備える、ことを特徴とする移動通信端末装置である。
【００１８】
この移動通信端末装置では、送信すべき少なくとも１つのメールの連続的な送信において所定の送信失敗が発生した場合に、自動送信リトライ手段が、当該所定の送信失敗が発生したメール及び当該所定の送信失敗の発生時において送信に着手していないメールの連続的な送信を自動的に試みる。すなわち、本発明の移動通信端末装置では、上述した本発明のメール通信方法を使用して、メールの送信を行うことができる。
【００１９】
したがって、本発明の移動通信端末装置によれば、メールの送信に際して、利用者の利便性を向上させることができる。
【発明の効果】
【００２０】
以上説明したように、本発明のメール通信方法によれば、メールの送信に際して、移動通信端末装置の利用者の利便性を向上させることができるという効果を奏する。
【００２１】
また、本発明の移動通信端末装置によれば、メールの送信に際して、利用者の利便性を向上させることができるという効果を奏する。
【発明を実施するための最良の形態】
【００２２】
以下、本発明の一実施形態を、図１〜図７を参照して説明する。
【００２３】
図１及び図２には、一実施形態に移動通信端末装置である携帯電話１０の構成が概略的に示されている。ここで、図１（Ａ）には、携帯電話１０の外観の正面図が示され、図１（Ｂ）には、携帯電話１０の外観の裏面図が示されている。また、図２には、携帯電話１０の機能ブロック構成が示されている。
【００２４】
図１及び図２において総合的に示されるように、携帯電話１０は、（ａ）制御部２１、送受信部２２及び記憶部２３を備える携帯電話本体１１と、（ｂ）電話番号を制御部２１へ入力するためのテンキー、及び、動作モードの切替等の各種指令を制御部２１へ入力するためのファンクションキーを有する操作部１２と、（ｃ）制御部２１による指令に応じて、操作案内、動作状況、受信メッセージ等を表示する液晶表示装置を有する表示部１３とを備えている。また、携帯電話１０は、（ｄ）通話時に通信相手から送られてきた音声信号を再生する通話用スピーカ１４と、通話時に音声を入力するためのマイクロフォン１５と、（ｅ）制御部２１による指令に応じて、着信音や案内音を発生するための案内用スピーカ１６とを備えている。更に、携帯電話１０は、（ｆ）送受信部２２と接続され、基地局との間で無線信号を授受するためのアンテナ１７とを備えている。
【００２５】
制御部２１は、図２に示されるように、その内部に、メールの送受信処理を行うメール送受信処理部２６を備えている。このメール送受信処理部２６は、メール送信の失敗が発生したときに、後述するメール送信のリトライを自動的に行う自動送信リトライ部を備えている。
【００２６】
なお、本実施形態においては、制御部２１は、中央処理装置（ＣＰＵ）、デジタル信号処理装置（ＤＳＰ）等を備えており、メール送受信処理を含む携帯電話機能を実現するために、様々なデータ処理を行うとともに、上述した他の構成要素の動作制御を行うようになっている。ここで、上記のメール送受信処理部２６は、制御部２１で実行されるプログラムにより構成されている。
【００２７】
次に、以上のように構成された携帯電話１０によるメール送信の動作を、複数のメールを連続的に送信する場合を例にとって、主に図３〜図７を参照しつつ説明する。
【００２８】
前提として、記憶部２３には複数の未送信メールが格納されているものとする。そして、それらの未送信メールの中から、連続的に送信すべき複数のメールが既に選択され、その選択情報はメール送受信処理部２６に通知されているものとする。また、自動送信リトライの回数は、電気通信端末機器等認定技術基準に適合させるため、最大２回までとなっている。
【００２９】
選択された複数のメールの連続的な送信は、利用者が操作部１２を操作して指令操作を行うことにより開始される。そして、選択された複数のメールの連続的な送信が開始されると、図３のステップ１１１において、最初のメールの送信が行われる。このメール送信に際しては、まず、メール送受信処理部２６が、記憶部２３から最初のメールを読み出す。引き続き、メール送受信処理部２６は、読み出されたメールを、送受信部２２を介して、無線リンクが確立している基地局を含むネットワークへ向けて送信する。なお、本実施形態においては、選択された複数のメールの作成順に順次メールが自動的に行われるようになっている。
【００３０】
ステップ１１１におけるメール送信動作が終了すると、ステップ１１２において、送信失敗が発生したか否かが判定される。ここで、否定的な判定がなされると、処理がステップ１１３へ移行する。このステップ１１３では、上述した連続して送信すべきメールとしとして選択された全てメールの送信が完了したか否かが判定される。この判定が否定的であった場合には、処理がステップ１１４へ移行する。
【００３１】
ステップ１１４では、次のメールの送信が行われる。このメール送信に際しては、上述した最初のメールの送信の場合と同様に、まず、メール送受信処理部２６が、記憶部２３から次のメールを読み出す。引き続き、メール送受信処理部２６は、読み出されたメールを、送受信部を介して、無線リンクが確立している基地局を含むネットワークへ向けて送信する。この後、処理がステップ１１２へ移行する。
【００３２】
以後、ステップ１１２において肯定的な判定がなされない場合には、ステップ１１３において、全てのメールの送信が完了したと判定されるまで、ステップ１１２からステップ１１４の処理が繰り返される。そして、ステップ１１３において肯定的な判定がなされると、処理がステップ１１７へ移行する。
【００３３】
ステップ１１７では、メールの送信済状況が表示部１３に表示され、利用者に通知される。上記のように、送信失敗が発生せずに、送信すべき全てのメールの送信が完了した場合における送信済状況の表示の例が、図４に示されている。なお、図４には、連続的に送信すべきメールの数が５である場合の例が示されている。
【００３４】
一方、ステップ１１２において、肯定的な判定がなされると、処理がステップ１１５へ移行する。このステップ１１５では、送信失敗の種類が、後述する自動送信リトライ処理を行うべき所定の送信失敗であるか否かが判定される。本実施形態では、近隣において災害等が発生した場合に、対応する基地局を介して発信規制が通知されたことや、アクセス規制が通知されたことに起因する送信失敗は、上記の所定の送信失敗に含まれないこととしている。一方、その他の送信失敗、例えば電波状態が悪いことに起因する送信失敗等は、上記の所定の送信失敗に含まれることとしている。
【００３５】
ステップ１１５において否定的な判定がなされた場合には、処理がステップ１１７へ移行し、メールの送信済状況が表示部１３に表示され、利用者に通知される。上記のように、所定の送信失敗以外の送信失敗が発生したことにより送信動作が終了した場合には、メールの送信済情報に加えて、送信動作の終了の要因である送信失敗の種類が表示部１３に表示される。こうした場合の表示例が図５に示されている。なお、図５には、連続的に送信すべきメールの数が５であり、発信規制が行われた結果、メールが送信できなかった場合の例が示されている。
【００３６】
一方、ステップ１１５において肯定的な判定がなされると、処理がステップ１１６（以下、「サブルーチン１１６」ともいう）へ移行する。このサブルーチン１１６では、図６に示されるように、まず、ステップ１２１において、自動送信リトライ部２７が、リトライカウンタ（ＲＣ）の値を０に設定する。
【００３７】
引き続き、ステップ１２２において、送信失敗が発生したメールの送信が行われる。このメール送信に際しては、まず、自動送信リトライ部２７が、記憶部２３から送信失敗が発生したメールを読み出す。引き続き、自動送信リトライ部２７は、読み出されたメールを、送受信部を介して、無線リンクが確立している基地局を含むネットワークへ向けて送信する。
【００３８】
ステップ１２２におけるメール送信動作が終了すると、ステップ１２３において、送信失敗が発生したか否かが判定される。ここで、否定的な判定がなされると、処理がステップ１２４へ移行する。このステップ１２４では、前回に送信失敗したメール、及び、前回に送信失敗が発生した時に送信の着手に至らなかったメールの全ての送信が完了したか否かが判定される。この判定が否定的であった場合には、処理がステップ１２５へ移行する。
【００３９】
ステップ１２５では、次のメールの送信が行われる。このメール送信に際しては、上述した送信失敗が発生したメールの送信の場合と同様に、まず、自動送信リトライ部２７が、記憶部２３から次のメールを読み出す。引き続き、自動送信リトライ部２７は、読み出されたメールを、送受信部を介して、無線リンクが確立している基地局を含むネットワークへ向けて送信する。この後、処理がステップ１２３へ移行する。
【００４０】
以後、ステップ１２３において肯定的な判定がなされない場合には、ステップ１２４において、全てのメールの送信が完了したと判定されるまで、ステップ１２３からステップ１２５の処理が繰り返される。そして、ステップ１２４において肯定的な判定がなされると、サブルーチン１１６の処理が終了し、処理が図３のステップ１１７へ移行する。
【００４１】
ステップ１１７では、上述したように、メールの送信済状況が表示部１３に表示され、利用者に通知される。上記のように、自動送信リトライの結果、送信すべき全てのメールの送信が完了した場合には、表示部１３に、上述した図４に示された表示と同様の表示が行われる。
【００４２】
図６に戻り、ステップ１２３において、否定的な判定がなされると、処理がステップ１２６へ移行する。このステップ１２６では、送信失敗の種類が、上述した所定の送信失敗であるか否かが判定される。この判定が否定的であった場合には、サブルーチン１１６の処理が終了し、処理が図３のステップ１１７へ移行する。そして、ステップ１１７において、メールの送信済状況が表示部１３に表示され、利用者に通知される。この場合のように、所定の送信失敗以外の送信失敗が発生したことにより自動送信リトライ処理が終了した場合には、表示部１３に、上述した図５に示された表示と同様の表示が行われる。
【００４３】
図６に戻り、ステップ１２６において肯定的な判定がなされると、処理がステップ１２７へ移行する。このステップ１２７では、リトライカウント（ＲＣ）がインクリメントされる。引き続き、ステップ１２８において、インクリメントされたリトライカウント（ＲＣ）の値に基づいて、最大リトライ回数の自動送信リトライが既に行われたか否か、すなわちリトライオーバが発生したか否かが判定される。この判定が否定的であった場合には、処理がステップ１１２に移行し、再度の自動送信リトライが開始される。
【００４４】
一方、ステップ１２８において肯定的な判定がされると、サブルーチン１１６の処理が終了し、処理が図３のステップ１１７へ移行する。そして、ステップ１１７において、メールの送信済状況が表示部１３に表示され、利用者に通知される。この場合のように、リトライオーバが発生したことにより自動送信リトライ処理が終了した場合には、メールの送信済情報に加えて、リトライオーバが発生した旨が表示部１３に表示される。こうした場合の表示例が図７に示されている。なお、図７には、連続的に送信すべきメールの数が５であり、２つのメールについては送信が完了した後にリトライオーバが発生し、３つ以降のメールが送信できなかった場合の例が示されている。
【００４５】
以上説明したように、本実施形態では、送信すべき複数メールの連続的な送信において所定の送信失敗が発生した場合に、当該所定の送信失敗が発生したメール及び当該所定の送信失敗の発生時において送信に着手していないメールの連続的な送信が自動的に試みられる。この結果、所定の送信失敗が発生して送信すべきメールの全てを送信できなかった場合に、利用者を煩わせることなく、当初に送信を行おうとしていたメールの内における送信が完了したメールを除くメールの送信の試みを自動的に行うことができる。したがって、本実施形態によれば、メールの送信に際して、移動通信端末装置の利用者の利便性を向上させることができる。
【００４６】
また、自動送信リトライを行うべき所定の送信失敗には、基地局を介して通知された通信規制に起因する送信失敗が含まれないこととしている。このため、基地局を介して公共の利益等のために行われた通信規制の趣旨に沿いつつ、利用者の利便性を向上させることができる。
【００４７】
また、自動送信リトライを行う場合には、その実行に先立って送信失敗の表示を行わないこととしている。この結果、利用者にとって必須とはいえない送信失敗の発生情報の提供により利用者を煩わせることを防止することができる。
【００４８】
また、自動送信リトライの回数を制限しているので、自動送信リトライを無限に繰り返すこと、通信の輻輳に起因する送信失敗の場合に、輻輳状況を助長し続けること、及び、公的な規格や技術基準を遵守することができる。
【００４９】
また、リトライオーバが発生した場合には、メールの送信済状況を表示して利用者へ通知するので、利用者にとって必須の情報であるリトライオーバ発生時のメールの送信済状況を、利用者に通知することができる。
【００５０】
なお、上記の実施形態では、当初に連続的に送信すべきメールの数が複数である場合を説明したが、当初に送信すべきメールの数が１つであっても、本発明を同様に適用することができる。
【００５１】
また、連続的に送信すべきメールとしては、各メールの送信ごとにセッションを設定するショートメールであってもよいし、各メールの送信ごとにセッションを設定することを要しないロングメールであってもよい。
【００５２】
また、上記の実施形態では、移動通信端末装置を携帯電話としたが、他の種類の移動通信端末装置についても本発明を適用できることは勿論である。
【産業上の利用可能性】
【００５３】
以上説明したように、本発明のメール送信方法は、移動通信端末によるメール送信に適用することができる。また、本発明の移動通信端末装置は、メール送信機能を有する移動通信端末装置に適用することができる。
【図面の簡単な説明】
【００５４】
【図１】本発明の一実施形態に係る携帯電話の外観構成を概略的に示す図である。
【図２】図１の携帯電話の内部構成を説明するための機能ブロック図である。
【図３】図１の装置のメール送信処理を説明するためのフローチャートである。
【図４】正常終了時における送信済状況表示の例を説明するための図である。
【図５】所定の送信失敗以外の送信失敗によるメール送信動作の終了時における送信済状況表示の例を説明するための図である。
【図６】図３の自動送信リトライステップにおける処理を説明するためのフローチャートである。
【図７】リトライオーバによるメール送信動作の終了時における送信済状況表示の例を説明するための図である。
【符号の説明】
【００５５】
１０…携帯電話（移動体端末装置）、１１…携帯電話本体、１２…操作部、１３…表示部、１４…通話用スピーカ、１５…マイクロフォン、１６…案内用スピーカ、１７…アンテナ、２１…制御部、２２…送受信部、２３…記憶装置、２６…メール送受信処理部、２７…自動送信リトライ部。
【図１】
2005135255.tif 000003
【図２】
2005135255.tif 000004
【図３】
2005135255.tif 000005
【図４】
2005135255.tif 000006
【図５】
2005135255.tif 000007
【図６】
2005135255.tif 000008
【図７】
2005135255.tif 000009